(57)【要約】単純化されたデバイス・インタフェース（１６）を介しての、携帯用データ記憶及び転送のためのデバイス（１２）、方法及びシステム。デバイスの作動は、デバイス（１２）の使い易さを向上する、そして特定なコア機能を提供するために限定されている。それらの機能は、データの読み取り、データの書き込み、そして類似のデバイスそして／あるいは外部のコンピュータ（１４）とのデータ交換を含む。デバイスは、これらの機能を達成するために、あるタイプのデータ・プロセッサ、メモリ記憶メディア、そして例えばオプションとして赤外線ポートでもよいデータ交換メカニズム等の、最小セットのハードウェア・コンポーネントを持つ。
2005519360.tif 000002
【特許請求の範囲】
【請求項１】
（ａ）データを記憶するための不揮発性メモリと、なお、前記不揮発性メモリとのデータ転送は、少なくとも一つの命令によって制御され、ユーザーは前記少なくとも一つの命令を変更することはできない、
（ｂ）前記少なくとも一つの命令を実行するためのロジックと、そして
（ｃ）携帯用デバイスから直接もう一つの携帯用デバイスへデータが転送されることを可能にするデバイス・インタフェースとからなり、前記携帯用デバイス間の通信のみが、各々のデバイス・インタフェースを介して起こる、
ユーザーのデータ記憶のための携帯用デバイス。
【請求項２】
データの直接転送がコンピュータを介して行われず、複数の携帯用デバイスが、各々のデバイス・インタフェースを介して直接通信することができる、請求項１に記載のデバイス。
【請求項３】
さらに、前記少なくとも一つの命令を記憶するための、追加のメモリ・コンポーネントからなり、前記ロジックがマイクロプロセッサである、請求項２に記載のデバイス。
【請求項４】
前記ロジックがマイクロプロセッサであり、前記少なくとも一つの命令が前記不揮発性メモリ上に記憶される、請求項２に記載のデバイス。
【請求項５】
前記携帯用デバイスが、ユーザーと直接通信するためのユーザー・インタフェースを持たない、請求項１に記載のデバイス。
【請求項６】
さらに、もう一つの携帯用デバイスへ信号を送信するための通信デバイスからなり、前記信号がデータの転送を要求する、請求項１に記載のデバイス。
【請求項７】
前記他の携帯用デバイスが検出されると、データ転送を制御するための前記少なくとも一つの命令に従って、データの転送が自動的に開始される、請求項６に記載のデバイス。
【請求項８】
前記不揮発性メモリ上に記憶されたデータが、タイプによってマーク付けられ、前記少なくとも一つの命令が前記タイプに従って、転送すべきデータを選択し、少なくとも一つの選択タイプのデータに対してのみ自動転送が開始される、請求項７に記載のデバイス。
【請求項９】
前記不揮発性メモリ上に記憶されたデータが、タイプによってマーク付けられ、前記少なくとも一つの命令が前記タイプに従って、転送すべきデータを選択する、請求項１に記載のデバイス。
【請求項１０】
前記タイプが、データの最初の記憶時だけマーク付けられる、請求項９に記載のデバイス。
【請求項１１】
前記タイプが、データの最初の記憶後に変更可能である、請求項９に記載のデバイス。
【請求項１２】
前記デバイス・インタフェースが、コンピュータの通信ポートに接続可能であり、前記タイプが、前記コンピュータから前記不揮発性メモリへデータを転送した際にマーク付けられる、請求項９に記載のデバイス。
【請求項１３】
前記デバイス・インタフェースが、もう一つの通信ポートへの物理的なコネクタを含む、請求項１に記載のデバイス。
【請求項１４】
前記不揮発性メモリがフラッシュメモリである、請求項１に記載のデバイス。
【請求項１５】
さらに、ＲＡＭ、ＳＤ−ＲＡＭ、Ｓ−ＲＡＭ及びＤ−ＲＡＭからなるグループから選択した揮発性メモリ・コンポーネントからなる、請求項１に記載のデバイス。
【請求項１６】
（ａ）データを記憶するための不揮発性メモリ、そして
（ｂ）携帯用デバイス及び第二の携帯用デバイス間でのデータ転送を可能にするデバイス・インタフェースからなり、
前記携帯用デバイスがデータ記憶及び転送の能力だけを持つ、
第二の携帯用デバイスへの、デバイスからデバイスへのデータ転送のための携帯用デバイス。
【請求項１７】
（ａ）データを記憶するための不揮発性メモリ、
（ｂ）前記不揮発性メモリへ、あるいはそれからの、少なくとも一方のデータ転送を制御するための限定命令セット、
（ｃ）前記限定命令セットからの少なくとも一つの命令を実行するためのロジック、そして
（ｄ）携帯用デバイスへ、あるいはそれからの、少なくとも一方へのデータ転送を可能にするデバイス・インタフェースからなり、
前記携帯用デバイスがオペレーティング・システムを持たない、
データ記憶のための携帯用デバイス。
【請求項１８】
さらに、
（ｅ）ユーザーからの少なくとも一つのコマンドを受信するためのユーザー・インタフェースからなる、請求項１７に記載のデバイス。
【請求項１９】
（ａ）データを記憶するための不揮発性メモリ
（ｂ）前記不揮発性メモリへ、あるいはそれからの、少なくとも一方へのデータ転送を制御する、少なくとも一つの命令を実行するためのロジック、そして
（ｃ）携帯用デバイスへ、あるいはそれからの、少なくとも一方へのデータ転送を可能にするデバイス・インタフェースから本質的になり、前記デバイス・インタフェースを介してのみデータ転送が可能な、
アクティブなデータ転送のための携帯用デバイス。
【請求項２０】
携帯用記憶デバイス内に記憶されるデータの、データ自動転送のための方法であって、
データを転送するための第二の携帯用記憶デバイスの存在を検出すること、
データを転送するために満たすべき少なくとも一つの条件を決定すること、そして
携帯用記憶デバイス及び前記第二の携帯用記憶デバイス間で、前記少なくとも一つの条件を満たすデータを自動的に転送することからなる方法。
【請求項２１】
携帯用記憶デバイス内に記憶される際にデータがタイプによってマーク付けされ、前記タイプが、条件が満たされるかどうかを決定する、請求項２０に記載の方法。
【請求項２２】
前記データがパーソナル・データを含み、ユーザーが、条件が満たされるかどうかを決定するための、少なくとも一つの基準を入力する、請求項２１に記載の方法。
【請求項２３】
（ｉ）データを記憶するための不揮発性メモリ、
（ｉｉ）データを転送するためにデバイスを第二の携帯用デバイスにインタフェース接続するデバイス・インタフェース、なお、データは、前記デバイス・インタフェースを介して転送が可能なだけであり、そして
（ｉｉｉ）前記デバイス及び前記第二の携帯用デバイスの各々の前記デバイス・インタフェースを用いて、前記デバイス及び前記第二の携帯用デバイス間でデータを転送するメカニズムからなり、このようなデータ転送が、データを追加のデバイスに通すことなく、前記デバイス及び前記第二の携帯用デバイス間で直接起こり、前記メカニズムは変更が不可能な、
データ記憶のための携帯用デバイス。
【請求項２４】
（ａ）データを記憶するための不揮発性メモリ、なお、前記不揮発性メモリとのデータ転送は、少なくとも一つの命令によって制御され、前記少なくとも一つの命令は変更が不可能であり、
（ｂ）前記少なくとも一つの命令を実行するためのロジック、そして
（ｃ）携帯用デバイスから直接もう一つの携帯用デバイスへデータが転送されることを可能にするデバイス・インタフェースからなり、前記携帯用デバイス間の通信が、各々のデバイス・インタフェースを介して起こるだけである、
ユーザーのデータ記憶のための携帯用デバイス。
【請求項２５】
さらに、前記少なくとも一つの命令を記憶するのための、永久に書き込みが可能なメモリ・デバイスからなり、前記少なくとも一つの命令が、前記永久に書き込みが可能なメモリ・デバイス内に永久に記憶される、請求項２４に記載のデバイス。
【請求項２６】
（ａ）データを記憶するための不揮発性メモリ、
（ｂ）前記不揮発性メモリとのデータ転送を制御するソフトウェア・アプリケーションを記憶するためのメモリ、なお、デバイスは追加のソフトウェア・アプリケーションを受信することはできない、
（ｃ）前記ソフトウェア・アプリケーションを実行するためのロジック、そして（ｄ）携帯用デバイスから直接もう一つの携帯用デバイスへデータが転送されることを可能にするデバイス・インタフェースからなり、前記携帯用デバイス間の通信が、各々のデバイス・インタフェースを介して起こるだけである、
ユーザーのデータ記憶のための携帯用デバイス。
【請求項２７】
前記メモリが、前記不揮発性メモリとは異なるメモリ記憶コンポーネントである、請求項２６に記載のデバイス。
【請求項２８】
前記メモリが、永久に書き込みが可能なメモリである、請求項２６に記載のデバイス。
【請求項２９】
前記メモリが前記不揮発性メモリと同一である、請求項２６に記載のデバイス。
【発明の詳細な説明】
【技術分野】
【０００１】
本発明は、コンピュータの介入が全くない状態で、もう一つのこのような装置とデータを交換するユニークな性能を持つデータ記憶のためのデバイス、システム及び方法に関する。特に、高度に単純化されたデバイス・インタフェースでデータ交換が行われるこのようなデバイス、システム及び方法に関する。
【背景技術】
【０００２】
携帯用データ記憶電子デバイスは、特にデスクトップ・コンピュータ環境外での、データ・アクセス及び転送に有用である。このようなデバイスは、一つの固定コンピュータのメモリあるいはデータ記憶装置からのデータ・アクセスにユーザーを強いることなく、むしろユーザーが身近にデータを保つことができるようにする。現在、携帯用データ記憶は、例えば、パームトップ等の、デスクトップ・コンピュータのすべての機能を維持するような電子デバイス、あるいはフレキシブルディスク等の、完全に受動的なデータ記憶デバイスで行われる。
【０００３】
これらの異なる両タイプの携帯用データ記憶メディアには欠点がある。ハンドヘルド（手に持って使う）コンピュータあるいはオーガナイザーは、データを記憶するだけではなく、データを読み取る、書き込む、処理する、そして表示することができるという利点がある。しかし、デスクトップ・コンピュータのより小さな携帯用としての、ハンドヘルド・コンピュータは、また、比較的に複雑で、より高価である。オーガナイザーは、大きなコンピュータ・ファイルを記憶するようには造られていない。たとえその性能を持っているとしても、ユーザーのパーソナルデータのような、非常に特定な情報のみを除き、ファイル交換の機能を持たない。他方、非常に安価な代替物であるフレキシブルディスクは、コンピュータの介入なしに、類似デバイス間でのデータ転送が行えない。データ・アクセスには特定なタイプのコンピュータ、典型的にウィンドウズ（登録商標）・オペレーティング・システムが走るＰＣコンピュータが必要である。したがって、ユーザーが一つのフレキシブルディスクからもう一つへデータを転送したい場合は、ユーザーは、第一に、互換性があるオペレーティング・システムの、互換性があるコンピュータを見つけなければならない。そのコンピュータは、まずデータをメモリ（ハードディスク）にコピーして、それからデータを他のフレキシブルディスクドライブにコピーすることによってデータ交換をサポートする。
【０００４】
背景技術には、データを受動的に記憶することを除き、アクティブな機能を持つメモリ記憶デバイスに関する開示がない、あるいは示唆もない。また、背景技術には、第一にコンピュータへデータを転送することなく、単純化されたデバイス・インタフェースを介して、もう一つのこのような記憶デバイスへ直接データを転送することが可能なメモリ記憶デバイスに関する開示がない、あるいは示唆もない。
【発明の開示】
【０００５】
本発明は、単純化されたデバイス・インタフェースを介する携帯用データ記憶及び転送のためのデバイス、方法及びシステムを提供することによって、背景技術のこれらの欠点を克服する。このデバイスの作動は、デバイスの使い易さを向上する、そして特定なコア機能を提供するために限定される。これらのコア機能は、データの読み取り、データの書き込み、類似のデバイスそして／あるいは外部のコンピュータとのデータ交換を含む。デバイスは、限定されたデバイス・インタフェースを持つことが好ましい。このインタフェースは、オプションとして、本発明による他のデバイスそして／あるいはコンピュータとの相互作用が可能なだけであることがより好ましい。択一的に、例えば、ユーザーがデータ転送のデータを見て選択することを許可するための、ユーザー限定デバイス・インタフェースを備えてもよい。本発明の好適実施例によれば、ユーザーは、データ交換に対して一つ以上の許可を設定することが可能である。このため、そのような許可を満たすデータ交換の要請があったときに、データはデバイスから自動的に転送される。例えば、ユーザーが、データ・セット「Ａ」を、要請に応じてもう一つのデバイスへ自動的に転送すると決定し、そのような要請が、本発明によるもう一つのデバイスそして／あるいはコンピュータから受信された場合、デバイスが独立モードでオンになっているとき、データ・セット「Ａ」は、要求しているデバイスへ自動的に転送される。オプションとして、このような転送は、ユーザーからの追加の介入そして／あるいは許可がない状態で起こってもよい。択一的に、ユーザーは、デバイスがこのような要請を受信した場合に、オプションとしてデバイスに取り付けることができる小さなディスプレイあるいはキーを介して、ユーザーが手動の許可を与えなければならないように許可を設定してもよい。
【０００６】
以下において、用語「コンピュータ」あるいは「コンピュータ・デバイス」は、特定なコンピュータ・ハードウェア・システムと、特定なソフトウェア・オペレーティング・システムとの組み合わせに言及する。
【０００７】
本発明のためのソフトウェア・アプリケーションは、本技術における通常の技能者が容易に選択可能な、適当なプログラミング言語で書くことができる。選択プログラミング言語は、ソフトウェア・アプリケーションが実行されるコンピュータ、そして特にそのコンピュータのオペレーティング・システムとの互換性があるべきである。適当なプログラミング言語の例としては、制限せずに、Ｃ、Ｃ＋＋及びＪａｖａ(登録商標)を含む。さらに、本発明の機能は、一つの方法の一連のステップとして表す場合、データ・プロセッサによって操作される一連のソフトウェア命令として実装することができる。したがって、本発明は、ソフトウェア、ファームウェアあるいはハードウェア、またはその組み合わせとして実装できる。
【０００８】
図面を参照する次の本発明の好適実施例の詳細な説明から、前述の、そして他の目的、局面及び利点をより良く理解することができる。
【発明を実施するための最良の形態】
【０００９】
本発明は、単純化されたデバイス・インタフェースを介する、携帯用のデータ記憶及び転送のためのデバイス、方法及びシステムに関する。デバイスの作用は、デバイスの使いやすさを向上させるために、そして特定なコア機能を提供するために限定している。これらのコア機能は、データの読み取り、データの書き込み、そして類似デバイスそして／あるいは外部コンピュータとのデータの交換を含む。デバイスは、これらの機能を達成するために、あるタイプのデータ・プロセッサ、メモリ記憶メディア、そして、例えばオプションとして赤外線ポートをも含んで、択一的にどのタイプのデバイス・インタフェースでもよいデータ交換メカニズムなどの、最小セットのハードウェア・コンポーネントを採用する。
【００１０】
本発明によるデバイスは、また、例えばデータ交換メカニズムを操作することを可能にする、データ転送を実行するための、一つ以上の命令を採用する。これらの命令は、オプションとして、例えば、ＲＯＭあるいは他の永久的に書き込みが可能な記憶装置に焼き付け、永久的に書き込みが可能な記憶装置内に命令を永久に記憶させることによってハードコードさせてもよい。択一的に、あるいは加えて、その記憶のタイプにかかわらず、ユーザーが命令を変えることはできない。
【００１１】
択一的に、オプションで、命令をソフトウェアとしてロードしてもよい。オプションとして、デバイスと共に提供したアプリケーションだけが用いられるように、デバイスに追加のソフトウェア・アプリケーションをダウンロードすることはできない。たとえ追加のソフトウェア・アプリケーションをダウンロードできなくとも、オプションとして、既存のアプリケーションがアップグレード可能であることが好ましい。
【００１２】
デバイスは、限られたデバイス・インタフェースを持つことが好ましい。そしてオプションとして、本発明による他のデバイスそして／あるいはコンピュータと単に相互作用するだけが可能であればより好ましい。このようなデバイス・インタフェースは、オプションとして、もう一つのデバイスあるいはコンピュータとの通信のために、データ交換メカニズムを含んでもよい。交換メカニズムの例としては、限定せずに、赤外線ポート、 Bluetooth 対応デバイス、そしてケーブル・ベースの接続がある、あるいは他のタイプのデバイス・インタフェースでもよい。
【００１３】
択一的に、例えば、データ転送のためにユーザーがデータを見て選択することを許可するユーザー限定デバイス・インタフェースをオプションとして提供してもよい。このような限定インタフェースの例としては、制限せずに、（例えばデバイスの一部としての、あるいはそれに付加した）ディスプレイ・スクリーン、（例えばデバイスの一部としての、あるいはそれに付加した）小さなキーボード、あるいはユーザーがソフトウェア・インタフェースを操作するためにディスプレイ・スクリーンに触れることができるタッチスクリーンがある。
【００１４】
本発明の好適実施例によれば、ユーザーはデータ交換に対して一つ以上の許可を設定することができ、このような許可を満たすデータ交換の要請が、デバイスからの自動的なデータ転送を可能にする。例えば、ユーザーが、要求があったときにデータ・セット「Ａ」をもう一つのデバイスへ自動的に転送させると決定し、このような要請が、本発明によるもう一つのデバイスそして／あるいはコンピュータから受信された場合、要求しているデバイスへデータセット「Ａ」は自動的に転送される。オプションとして、このような転送を、ユーザーからの追加の介入そして／あるいは許可がない状態で実行してもよい。択一的に、ユーザーは、デバイスがこのような要請を受信したときにユーザーによる手動での許可が必要なように、許可を設定してもよい。またオプションとして、ユーザーが、他のデバイスから受信すべきデータ・セットを、データに対する一つ以上の要請を発信することによって、特定できることが好ましい。
【００１５】
本発明によるデバイスは、オプションとして、限定された命令セットに従って作動してもよいし、そして／あるいはオペレーティング・システムを欠いてもよい。本発明によるデバイスの構成にかかわらず、二つのこのようなデバイス間のデータ交換あるいは転送は可能である。
【００１６】
本発明によるデバイス、システム及び方法の原理及び作用は、図面とその説明から理解することができる。これらの図面は、説明の目的のみのためであり、限定することを意図していない。
【００１７】
さて図面を参照する。図１は、本発明による模範的なシステム１０を示す。システム１０は、データを記憶及び転送するための、本発明による説明的なデバイス１２を持つ。説明の目的で、限定することを意図せずに、デバイス１２を、コンピュータ１４との通信状態で示している。図２は、デバイスがもう一つのこのようなデバイスと直接通信状態にある、本発明のデバイスの第二の、好ましい応用を示す。注目すべきことは、オプションとして、デバイス１２は、コンピュータ１４に結線する、あるいは別な方法で直接的に通信する必要がない、あるいはその機能さえも要らないことである。デバイス１２とコンピュータ１４間の直結による通信は、オプションであり、また好ましい。
【００１８】
図１に戻って、デバイス１２は、データの読み取り及び書き込みの両方を含むデータにアクセスするためのデバイス・インタフェース１６を持つ。データ自体は、不揮発性メモリ１８に記憶される。デバイス１２は、また揮発性メモリ２０を持つことが好ましい。これは、説明の目的のみで限定することを意図せずに、あるタイプのＲＡＭとして示す。本発明の好適実施例によれば、不揮発性メモリ１８は、フラッシュメモリであるか、あるいは少なくともそのようなフラッシュメモリを含むが、揮発性メモリ２０は、デバイスの作動のために必要なＲＡＭで、どのタイプでもよい。このようなＲＡＭの例としては、限定せずに、Ｓ−ＲＡＭ、Ｄ−ＲＡＭ、ＳＤ−ＲＡＭがあるが、他のどのタイプのＲＡＭでもよい。フラッシュメモリは、どのタイプのフラッシュメモリとしても実装できることが好ましい。限定せずに、フラッシュメモリの一つのオプション例としては、ＮＡＮＤフラッシュメモリ・コンポーネントがある。
【００１９】
デバイス１２は、またロジック２２を持つ。これは、オプションとしてＣＰＵあるいは他のタイプのマイクロプロセッサであるが、択一的に複数の論理ゲートでもよい。ロジック２２は、複数の命令を実行するためのデータ・プロセッサとして実装されることがより好ましい。これらの命令は不揮発性メモリ１８に記憶することが好ましいが、択一的に別個のメモリをオプションとして備えることができる。このようなメモリは、どのタイプの不揮発性メモリでもよいが、オプションとして、例えば、ＲＯＭあるいは他のハードウェア・メモリ記憶装置に焼き付けることによって、「ハードコード」した命令を含んでもよい。ロジック２２、不揮発性メモリ１８及び揮発性メモリ２０は、すべて内部バス２４と通信することが好ましい。加えて、内部バス２４は、また、デバイス・インタフェース１６と通信状態にあることが好ましい。デバイス・インタフェース１６は、デバイス１２と、コンピュータ１４等の外部デバイスとの通信をサポートすることが好ましい。デバイス・インタフェース１６は、オプションとして、コンピュータ１４あるいはどのタイプの外部デバイスとでも「握手」または他の通信プロトコルを実行するための複数の命令を、また不揮発性メモリ１８に記憶されたデータを、外部デバイスが理解できるフォーマットでレンダリングするための命令を含んでもよい。デバイス・インタフェース１６はデバイス１２ともう一つのこのようなデバイス１２（図示せず、下記を参照）との通信をサポートすることが好ましいが、オプションとして、デバイス・インタフェース１６は、デバイス１２と他の外部デバイスとの通信をサポートすることがより好ましい。
【００２０】
デバイス・インタフェース１６は、オプションとして、赤外線、 Bluetooth 対応技術及びケーブル接続を含み、限定せずに、どのタイプの通信デバイスとして実装してもよい。正確なタイプの技術が重要ではなく、大切なことは、デバイス・インタフェース１６が、コンピュータ１４上の対応するデバイス・インタフェース２８と通信が可能であることである。コンピュータ１４は、必須ではないが、デバイス１２を周辺デバイスとして認知しないことが好ましい。デバイス１２は、コンピュータではないけれども、コンピュータ１４を、データ記憶デバイスあるいは別個のコンピュータのようなデバイスと捉えて通信することが好ましい。したがって、デバイス１２は、オプションとして、デバイス１２及びコンピュータ１４間にアクティブな通信が起こるよう、デバイス・インタフェース１６に対する十分な命令及び機能を持つことが好ましい。
【００２１】
デバイス１２は、オプションとして、コンピュータ１４へファイルを記憶する、あるいはコンピュータ１４からファイルを検索するために、コンピュータ１４に取り付けることができることが好ましい。コンピュータ１４は、デバイス１２を、標準データ記憶周辺デバイスとして取り扱うことが好ましい。デバイス１２は、オプションとして、図２に示すように、もう一つの類似デバイス３２と、（コンピュータ１４に取り付けられたときに定義される）一つ以上のユーザー定義に従ってデータを交換している間、独立デバイスとして機能することができることが好ましい。
【００２２】
図２の実施例によれば、デバイス１２は、デバイス１２及びデバイス３２の各々のデバイス・インタフェース１６を介して、デバイス３２（他のデバイス）と直接的に通信してデータ転送を行う。このようなデータ転送は、各々のデバイス・インタフェース１６を用いる、デバイス１２及びデバイス３２間のデータ転送のためのメカニズムによってサポートされることが好ましい。このようにすれば、追加のデバイスを通過させることなくデータ転送が行える。
【００２３】
デバイス１２は、デバイス３２が要求した一つ以上のファイルそして／あるいはデータ・セットを送信することが好ましい。この場合、ユーザーの許可があれば、より好ましい。デバイス１２は、また、一つ以上のファイルそして／あるいはデータ・セットを得るために要請を送信してもよい。この場合も、一つ以上のユーザー定義に従うことがより好ましい。これらの一つ以上の要請は、デバイス３２によって、その中に定義された一つ以上の許可に従って満たされることが最も好ましい。
【００２４】
自動的なデータ転送が起こるためには、（例えば）デバイス１２は、自動的に転送すべきデータのタイプに対する、少なくとも一つの命令を持つ必要がある。このような命令は、オプションとして、例えば図１に関して説明したような外部のコンピュータで作動するソフトウェア・モジュールを介して、ユーザーが入力できる。いずれにしても、データの少なくとも一つのタイプ、そして／あるいは少なくとも一つのセットのデータが、転送可能であるとマークが付けられている必要がある。例えば、ユーザーは、オプションとして、デバイス１２からデバイス３２へ、あるいは本発明による他のどのデバイスへも、ユーザー名、社内所属及び会社の連絡情報が自動的に転送されるように選択することができる。この実施例は、例えば、会議あるいは製品展示会において有用である。
【００２５】
転送は、オプションとして、例えば、直接的に、あるいはケーブルまたは他のタイプの物理的なコネクタを介して（図示せず）、デバイス１２及び３２の各々のデバイス・インタフェース１６を物理的に接続することによって、デバイス１２及び３２が直接的物理的接触状態に置かれたときに自動的に起こってもよい。択一的に、デバイス・インタフェース１６が無線ポートである場合には、転送は、オプションとして、デバイス１２及び３２が、例えば無線接続を介して転送が起こるような十分に物理的に近い範囲内に置かれたときに自動的に起こるようにしてもよい。後者の実施例では、ユーザーはデバイス１２あるいは３２のいずれかをも作動させる必要はない。それは、本発明によるデバイスが、オプションとして、そのような同じ一般区域内にもう一つのこのようなデバイスの存在を認識してデータを送信するようにプログラムされる、あるいは指示されるためである。このような認識は、オプションとして、本発明によるデバイスの、断続的な、あるいは連続的な認識信号の送信によって支援することができる。
【００２６】
図３は、本発明によるデバイスの、もう一つの説明的な実施例の概略ブロック図である。このデバイスは追加のユーザー・インタフェース３４を持つ。ユーザー・インタフェース３４は、デバイス１２上に、例えば不揮発性メモリ１８上に記憶された命令の少なくとも一つの局面を、ユーザーが変更できるようにすることが好ましい。変更可能な命令が、オプションとして転送用にマーク可能な、異なるタイプのデータを参照するため、ユーザーは、オプションとして、ユーザー・インタフェース３４を介して、転送用に特定なデータ、そして／あるいは特定なタイプのデータを選択する、あるいは選択を取り消すことができることが好ましい。ユーザー・インタフェース３４がディスプレイ３６を含むことがより好ましい。ディスプレイは、ユーザーが、データそして／あるいは変更すべき命令を見ることを可能にする。
【００２７】
ユーザーは、ユーザー・インタフェース３４を介して変更命令を入力することだけが可能なことが好ましいけれども、オプションとして、ユーザー・インタフェース３４を介して新しい、あるいは変更したデータを入力できるようにしてもよい。このような変更命令の入力を支援するために、ユーザー・インタフェース３４は、また、情報入力コンポーネント３８を含むことが好ましい。情報入力コンポーネント３８は、キーボードを含むことがより好ましい。加えて、あるいは択一的に、マウスあるいは他のポインティング・デバイスを含んでもよい。択一的に、情報入力コンポーネント３８は、例えばタッチスクリーンの形態を持つディスプレイ３６に結合することができる。
【００２８】
図４は、本発明による、図１から図３に示すデバイスの作動方法を説明するフローチャートである。ステージ１において、ユーザーは、本発明によるデバイスから転送するデータの少なくとも一つのタイプを選択する。ここで用いる「データのタイプ」は、またオプションとして、特定なデータを含んでもよい。データのタイプは、オプションとして、例えば音楽あるいは画像のような、特定な主題のデータ、例えばＪＰＥＧあるいはＷＡＶファイルのような、特定なフォーマットのデータ、例えば名前あるいは（サブフォルダー等の）位置による特定なデータ・ファイル、あるいは他のタイプの指定あるいはセレクション、あるいはそれらの組み合わせに言及してもよい。本発明によるデバイスの実施例に応じて、データは、デバイスそれ自体を介して、あるいは択一的に外部のコンピュータを介して選択してもよい。
【００２９】
ある特定な条件下でのデータの自動転送のために、例えば、先に説明したように、本発明によるもう一つのデバイスが物理的に近接あるいは接触した場合、本発明によるデバイス上にデータが初めて記憶されるときには、ユーザーが、転送のためのデータにマークを付ける、あるいは転送のためのデータを選択することが好ましい。デバイスがユーザー・インタフェースを持たない場合は、このオプションの実施例が好ましい。
【００３０】
ステージ２では、選択データに対して、少なくとも一つのタイプの許可のマークを付ける。ステージ３では、デバイスは、オプションとして、もう一つのデバイスへの接続の可能性が通知される。このもう一つのデバイスは、例えば本発明によるもう一つのデバイスである。デバイスが本発明によるもう一つのデバイスに接続した際にデータの自動転送が設定されている場合、このような通知が行われることが好ましい。
【００３１】
ステージ４では、本発明によるデバイスが、例えば、本発明によるデバイスあるいはコンピュータにかかわらず、もう一つのデバイスに接続される。このような接続は、例えばケーブルで直接物理的に接続しても、あるいは択一的に、例えば赤外線のポートのような、無線トランシーバで行ってもよい。例えば無線チャネルを介する通信のため、本発明による二つのデバイスを同じ物理領域内に持って来ることで接続が自動的に行われる場合、オプションとして、例えばステージ３の通知後、ユーザーは、このような接続を手作業で阻止する、あるいは可能にすることができることが好ましい。択一的に、ユーザーが物理的に二つのデバイスを接続しなくてはならない場合は、ユーザーからの、それ以上の作用を必要としないことが好ましい。
【００３２】
ステージ５では、先に説明したように、ユーザーからの、それ以上の介入の有無にかかわらず、データ転送が開始される。注目すべきことに、データ転送は、オプションとして、一方向でも、あるいは双方向でもよい。
【００３３】
本発明の好適実施例によれば、デバイスは、ユーザーが望む一つ以上の特徴を持つ、ユーザーに物理的に近接な（あるいはユーザーから少なくとも特定な距離内にいる）他の個人を見つける支援として用いることができる。例えば、ユーザーは、その第二のデバイスが、第二のデバイスのユーザーが、年齢、性別、一つ以上の趣味、話す言語等、ある特定な基準に合うことを示す場合に、オプションとして、パーソナル情報をもう一つのデバイスへ送信するよう、デバイスをプログラムすることができる。プライバシーを維持するために、オプションとして、基本的な基準が一致した場合、ユーザーは単に通知されるだけで、デバイスが名前等の追加のパーソナル・データを単に伝達する。
【００３４】
本発明のオプションとしての実施例によれば、ユーザーは、ユーザーの本発明によるデバイスからもう一つのそのようなデバイスへの転送が許可されるデータそして／あるいはファイルを定義することが可能である。本発明による複数のデバイスが、所望の独立モードで相互作用する場合、そのようなデバイスの各々は、例えばパーソナル・データを交換できるように、交換が許可されたデータそして／あるいはファイルを転送することが好ましい。
【００３５】
上記の説明は、単に例として意図したものであり、多くの他の実施例が本発明の範囲内において可能であることは明らかである。
【図面の簡単な説明】
【００３６】
【図１】コンピュータとの通信状態にある、本発明によるシステム及びデバイスを表す概略ブロック図である。
【図２】通信状態にある、本発明による二つの模範的なデバイスの概略ブロック図である。
【図３】本発明によるデバイスを表すもう一つの実施例の概略ブロック図である。
【図４】本発明による、図１から図３のいずれかのデバイスを操作するための、模範的な方法を示すフローチャートである。
【図１】
2005519360.tif 000003
【図２】
2005519360.tif 000004
【図３】
2005519360.tif 000005
【図４】
2005519360.tif 000006
【手続補正書】
【提出日】平成16年10月26日(2004.10.26)
【手続補正１】
【補正対象書類名】特許請求の範囲
【補正対象項目名】全文
【補正方法】変更
【補正の内容】
【特許請求の範囲】
【請求項１】
デバイスからデバイスへのデータ転送のための携帯用デバイスであって、
（ａ）データを記憶するための不揮発性メモリ、そして
（ｂ）携帯用デバイスともう一つの携帯用デバイスとの間でデータが転送されることを可能にするデバイス・インタフェースからなり、
データに関する、前記携帯用デバイス及び前記他の携帯用デバイスの両方の作動が、データ記憶及び転送に限定されており、前記携帯用デバイスが、前記他の携帯用デバイスとデータを交換している間、独立デバイスとして機能するように作動するデバイス。
【請求項２】
前記携帯用デバイスが、ユーザーと直接通信するためのユーザー・インタフェースを持たない、請求項１に記載のデバイス。
【請求項３】
前記不揮発性メモリとのデータ転送が少なくとも一つの命令に従って制御され、前記不揮発性メモリ上に記憶されたデータが、タイプによってマーク付けられ、前記少なくとも一つの命令が、前記タイプに従って転送のデータを選択する、請求項１に記載のデバイス。
【請求項４】
前記タイプが、データの最初の記憶の際にのみマーク付けられる、請求項３に記載のデバイス。
【請求項５】
前記タイプが、データの最初の記憶の後に変更可能である、請求項３に記載のデバイス。
【請求項６】
前記デバイス・インタフェースがコンピュータの通信ポートに接続可能であり、前記タイプが、前記コンピュータから前記不揮発性メモリへのデータ転送の際にマーク付けられる、請求項３に記載のデバイス。
【請求項７】
前記デバイス・インタフェースが、もう一つの通信ポートへの物理的なコネクタを含む、請求項１に記載のデバイス。
【請求項８】
前記不揮発性メモリがフラッシュメモリである、請求項１に記載のデバイス。
【請求項９】
さらに、ＲＡＭ、ＳＤ−ＲＡＭ、Ｓ−ＲＡＭ及びＤＲＡＭからなるグループから選択した揮発性メモリ・コンポーネントからなる、請求項１に記載のデバイス。
【請求項１０】
データ記憶のための携帯用デバイスであって、
（ａ）データを記憶するための不揮発性メモリ、
（ｂ）前記不揮発性メモリへ、あるいはそれからの少なくとも一方のデータ転送を制御する限定命令セット、
（ｃ）前記限定命令セットからの少なくとも一つの命令を実行するロジック、そして
（ｄ）携帯用デバイスへもう一つの携帯用デバイスから、あるいは携帯用デバイスから前記他の携帯用デバイスへの、少なくとも一方のデータ転送を可能にするデバイス・インタフェースからなり、
前記携帯用デバイス及び前記他の携帯用デバイスの両方はオペレーティング・システムを持たず、前記携帯用デバイスは、前記他の携帯用デバイスとデータを交換している間、独立デバイスとして機能するように作動するデバイス。
【請求項１１】
さらに、
（ｅ）ユーザーからの少なくとも一つのコマンドを受信するためのユーザー・インタフェースからなる、請求項１０に記載のデバイス。
【請求項１２】
ユーザーのデータ記憶のための携帯用デバイスであって、
（ａ）データを記憶するための不揮発性メモリ、
（ｂ）前記不揮発性メモリとのデータ転送を制御するソフトウェア・アプリケーションを記憶するためのメモリ、
（ｃ）前記ソフトウェア・アプリケーションを実行するためのロジック、そして
（ｄ）携帯用デバイスから直接もう一つの携帯用デバイスへデータが転送されることを可能にするデバイス・インタフェースからなり、前記携帯用デバイス間の通信が、各々のデバイス・インタフェースを介して起こるだけであり、前記デバイス及び前記他の携帯用デバイスのいずれも、追加のソフトウェア・アプリケーションを受信することはできず、
前記携帯用デバイスが、前記他の携帯用デバイスとデータを交換している間、独立デバイスとして機能するように作動するデバイス。
【請求項１３】
前記メモリが、前記不揮発性メモリとは異なるメモリ記憶コンポーネントである、請求項１２に記載のデバイス。
【請求項１４】
前記メモリが、永久に書き込みが可能なメモリである、請求項１２に記載のデバイス。
【請求項１５】
前記メモリが、前記不揮発性メモリと同一である、請求項１２に記載のデバイス。
【請求項１６】
前記携帯用デバイスが、さらに、
（ｃ）データの前記転送を制御する少なくとも一つの命令を実行するためのロジックを含む、請求項１に記載のデバイス。
【請求項１７】
前記携帯用デバイスの各々が、さらに、前記少なくとも一つの命令を記憶するための追加のメモリ・コンポーネントを含み、前記ロジックがマイクロプロセッサである、請求項１６に記載のデバイス。
【請求項１８】
前記ロジックがマイクロプロセッサであり、前記少なくとも一つの命令が、前記不揮発性メモリ上に記憶される、請求項１６に記載のデバイス。
【請求項１９】
さらに、もう一つの携帯用デバイスへ信号を送信する通信デバイスからなり、前記信号がデータの転送を要求する、請求項１６に記載のデバイス。
【請求項２０】
前記他の携帯用デバイスが検出されたとき、データの転送が、データ転送を制御する前記少なくとも一つの命令に従って自動的に開始される、請求項１９に記載のデバイス。
【請求項２１】
前記不揮発性メモリ上に記憶されたデータが、タイプによってマーク付けられ、前記少なくとも一つの命令が、前記タイプに従って転送のデータを選択し、少なくとも一つの選択タイプのデータに対してのみ自動転送が開始される、請求項２０に記載のデバイス。
【請求項２２】
前記命令が、ユーザーによる変更が不可能である、請求項１６に記載のデバイス。
【請求項２３】
前記携帯用デバイス及び前記他の携帯用デバイス間の通信が、前記デバイス・インタフェースを介して起こるだけである、請求項１に記載のデバイス。
【請求項２４】
前記デバイスがオペレーティング・システムを持たない、請求項１に記載のデバイス。
【請求項２５】
複数の携帯用デバイスからなる、ユーザーのデータ記憶のためのシステムであって、前記携帯用デバイスの各々が、
（ａ）データを記憶するための不揮発性メモリ、そして
（ｂ）前記各携帯用デバイスと前記携帯用デバイスのもう一つとの間で直接データが転送されることを可能にするデバイス・インタフェースを含み、
前記携帯用デバイスの、データに関する作動が、データ記憶及び転送に限定されており、前記携帯用デバイスが、データを交換している間、独立デバイスとして機能するように作動するシステム。
【請求項２６】
複数の携帯用デバイスからなるデータ記憶のためのシステムであって、前記携帯用デバイスの各々が、
（ａ）データを記憶するための不揮発性メモリ、
（ｂ）前記不揮発性メモリへ、あるいはそれからの少なくとも一方のデータ転送を制御する限定命令セット、
（ｃ）前記限定命令セットからの少なくとも一つの命令を実行するためのロジック、そして
（ｄ）前記各携帯用デバイスへ前記携帯用デバイスのもう一つから、あるいは前記各携帯用デバイスから前記携帯用デバイスのもう一つへの、少なくとも一方へデータが転送されることを可能にするデバイス・インタフェースを含み、
前記携帯用デバイスがオペレーティング・システムを持たず、前記携帯用デバイスが、データを交換している間、独立デバイスとして機能するように作動するシステム。
【請求項２７】
複数の携帯用デバイスからなる、ユーザーのデータ記憶のためのシステムであって、前記携帯用デバイスの各々が、
（ａ）データを記憶するための不揮発性メモリ、
（ｂ）前記不揮発性メモリとのデータ転送を制御するソフトウェア・アプリケーションを記憶するためのメモリ、なお、前記各デバイスは、追加のソフトウェア・アプリケーションを受信することはできない、
（ｃ）前記ソフトウェア・アプリケーションを実行するためのロジック、そして
（ｄ）前記各携帯用デバイスから直接前記携帯用デバイスのもう一つへデータが転送されることを可能にするデバイス・インタフェースを含み、前記携帯用デバイス間の通信が、各々のデバイス・インタフェースを介して起こるだけであり、
前記携帯用デバイスが、データを交換している間、独立デバイスとして機能するように作動するシステム。
【請求項２８】
前記携帯用デバイス及び前記他の携帯用デバイスの両方が、データを交換している間、独立デバイスとして機能するように作動する、請求項１に記載のデバイス。
【請求項２９】
前記携帯用デバイス及び前記他の携帯用デバイスの両方が、データを交換している間、独立デバイスとして機能するように作動する、請求項１０に記載のデバイス。
【請求項３０】
前記携帯用デバイス及び前記他の携帯用デバイスの両方が、データを交換している間、独立デバイスとして機能するように作動する、請求項１２に記載のデバイス。
【請求項３１】
デバイスからデバイスへのデータ転送のための携帯用デバイスであって、
（ａ）データを記憶するための不揮発性メモリ、そして
（ｂ）前記携帯用デバイスともう一つの携帯用デバイスとの間でデータが転送されることを可能にするデバイス・インタフェースからなり、
前記携帯用デバイス及び前記他の携帯用デバイスの両方の作動が、データに関して、データ記憶及び転送に限定されており、前記不揮発性メモリとのデータ転送が少なくとも一つの命令に従って制御され、前記不揮発性メモリ上に記憶されたデータが、タイプによってマーク付けられ、前記少なくとも一つの命令が前記タイプに従って転送のデータを選択するデバイス。
【国際調査報告】
2005519360.tif 000007